【手続補正書】
【提出日】平成26年9月22日(2014.9.22)
【手続補正１】
【補正対象書類名】明細書
【補正対象項目名】０００６
【補正方法】変更
【補正の内容】
【０００６】
上記目的を達成するため、本発明の一態様の画像処理装置は、記憶部と制御部と出力部とを備える画像処理装置であって、前記記憶部は、複数の動画データを記憶し、前記制御部は、前記記憶部に記憶された複数の動画データの各々に映る被写体の動きの類似性を判断する判断処理と、前記判断処理により判断された類似性に応じて、前記複数の動画データの中から特定の動画データを選択する選択処理と、を実行し、前記出力部は、前記選択処理による選択結果の情報を出力することを特徴とする。
【手続補正２】
【補正対象書類名】特許請求の範囲
【補正対象項目名】全文
【補正方法】変更
【補正の内容】
【特許請求の範囲】
【請求項１】
記憶部と制御部と出力部とを備える画像処理装置であって、
前記記憶部は、複数の動画データを記憶し、
前記制御部は、
前記記憶部に記憶された複数の動画データの各々に映る被写体の動きの類似性を判断する判断処理と、
前記判断処理により判断された類似性に応じて、前記複数の動画データの中から特定の動画データを選択する選択処理と、を実行し、
前記出力部は、前記選択処理による選択結果の情報を出力する
ことを特徴とする画像処理装置。
【請求項２】
前記制御部は、更に、基準となる基準動画を特定する特定処理を実行し、
前記判断処理において、前記制御部は、この特定された基準動画に映る被写体の動きと、前記複数の動画の各々に映る被写体の動きとの類似性を判断する、
ことを特徴とする請求項１に記載の画像処理装置。
【請求項３】
前記選択処理において、前記制御部は、前記判断処理により判断された類似性に応じて、前記複数の動画データを順位付けする場合の、各順位に対応する動画データを選択する、
ことを特徴とする請求項１または２に記載の画像処理装置。
【請求項４】
前記選択処理は、前記基準動画との類似度に従った順番で、前記複数の動画をソートする場合に、各順番に対応する動画データを選択する処理である、
ことを特徴とする請求項２に記載の画像処理装置。
【請求項５】
前記判断処理において、前記制御部は、所定の比較観点における、前記複数の動画の各々に映る被写体の動きの類似性を判断する、
ことを特徴とする請求項２又は４のいずれかに記載の画像処理装置。
【請求項６】
前記所定の比較観点には、被写体についての、動作速度、動作方向、動作タイミング、動作位置、及び動作状態のうち複数の観点が含まれる、
ことを特徴とする請求項５に記載の画像処理装置。
【請求項７】
前記所定の比較観点には、被写体の一連の動作の中で解析される各種情報であり、複数の動作タイミングにおける位置、角度、方向、距離、速度のうちのいずれかの変化状態の観点が含まれる、
ことを特徴とする請求項６に記載の画像処理装置。
【請求項８】
前記所定の比較観点には、被写体の一連の動作の中で解析される各種情報であり、特定の動作タイミングにおける被写体の状態の観点が含まれる、
ことを特徴とする請求項６に記載の画像処理装置。
【請求項９】
前記被写体の状態は、前記被写体についての、位置、角度、方向、又は距離を含む、
ことを特徴とする請求項８に記載の画像処理装置。
【請求項１０】
前記所定の比較観点として複数の種類が存在し、
前記特定処理において、前記制御部は、前記複数の種類の中から１以上の種類を、前記所定の比較観点として選択する、
ことを特徴とする請求項６に記載の画像処理装置。
【請求項１１】
選択可能な前記複数の種類の比較観点は、被写体の一連の動作の中で解析される各種情報であり、複数の動作タイミングにおける位置、角度、方向、距離、速度のうちのいずれかの変化状態の観点、被写体の一連の動作の中で解析される各種情報であり、特定の動作タイミングにおける被写体の状態の観点、又は、被写体の静止状態において解析される各種情報であり、静止状態における状態の観点のうちの複数の観点を含む、
ことを特徴とする請求項８に記載の画像処理装置。
【請求項１２】
前記特定の動作タイミングにおける前記被写体の状態及び前記被写体の静止状態における状態は、前記被写体についての、位置、角度、方向、又は距離を含む、
ことを特徴とする請求項１１に記載の画像処理装置。
【請求項１３】
前記制御部は、更に、
前記複数の動画毎に、所定の単位画像から被写体を検出し、当該被写体の動きを解析する解析処理を実行し、
前記判断処理において、前記制御部は、前記解析処理により前記複数の動画毎に解析された前記被写体の動きの類似性を判断する、
ことを特徴とする請求項１乃至１２のいずれかに記載の画像処理装置。
【請求項１４】
前記解析処理において、前記制御部は、前記複数の動画に映る被写体が行う共通の特定動作を対象として、この特定動作における一連の動作の流れを解析し、
前記判断処理において、前記制御部は、前記解析処理による解析結果に基づいて、前記複数の動画の各々に映る被写体の動きの類似度を算出する、
ことを特徴とする請求項１３に記載の画像処理装置。
【請求項１５】
前記判断処理において、前記制御部は、前記一連の動作の流れにおける複数のチェックポイントについて、所定の比較観点における比較をすることで、前記複数の動画の各々に映る被写体の動きの類似度を算出する、
ことを特徴とする請求項１４に記載の画像処理装置。
【請求項１６】
前記特定動作はゴルフスイングであり、
前記判断処理において、前記制御部は、バックスイングからフォロースイングまでの一連の動作の流れにおけるトップ、インパクト、フォローを含む前記複数のチェックポイントについて、前記所定の比較観点における比較をする、
ことを特徴とする請求項１５に記載の画像処理装置。
【請求項１７】
前記判断処理において、前記制御部は、前記複数のチェックポイントの夫々について、前記所定の比較観点における比較の結果を数値化し、それぞれの数値に所定の重みを加味することで、前記複数の動画の各々に映る被写体の動きの類似度を算出する、
ことを特徴とする請求項１５に記載の画像処理装置。
【請求項１８】
前記選択処理において、前記制御部は、前記複数の観点の各々に対応する複数の軸からなる空間を構築し、前記複数の動画の各々に映る被写体の動きの類似性に基づいて、前記複数の動画を前記空間上に分布させることで、前記複数の動画をソートし、
前記出力部は、前記空間に分布された前記複数の動画の様子を示す画像を出力する、
ことを特徴とする請求項１に記載の画像処理装置。
【請求項１９】
前記選択処理において、前記制御部は、さらに、前記複数の軸に割り振る観点を選択する、
ことを特徴とする請求項１８に記載の画像処理装置。
【請求項２０】
前記選択処理において、前記制御部は、前記基準動画に対応する位置が原点となるように前記空間を構築し、複数の動画の各々に映る被写体の動きの前記基準動画に対する類似性に基づいて、前記複数の動画の各々の配置位置を決定し、夫々の配置位置に前記複数の動画を分布させることで、前記複数の動画をソートする、
ことを特徴とする請求項２に記載の画像処理装置。
【請求項２１】
前記制御部は、更に、
同期再生させるための複数の動画のデータを取得する取得処理を実行し、
前記出力部は、前記複数の動画を同期再生させて、前記複数の動画を画面上に並べて表示させる、
ことを特徴とする請求項１に記載の画像処理装置。
【請求項２２】
複数の動画データの各々に映る被写体の動きの類似性を判断する判断ステップと、
前記判断ステップにより判断された類似性に応じて、前記複数の動画データの中から特定の動画データを選択する選択ステップと、
前記選択ステップによる選択結果の情報を出力する出力ステップと、
を含むことを特徴とする画像処理方法。
【請求項２３】
コンピュータに
複数の動画データの各々に映る被写体の動きの類似性を判断する判断処理と、
前記判断処理により判断された類似性に応じて、前記複数の動画データの中から特定の動画データを選択する選択処理と、
前記選択処理による選択結果の情報を出力する出力処理と、
を実行させることを特徴とするプログラム。